(57)【特許請求の範囲】
【請求項１】
前面が開口された筐体と、
該筐体の前面に設けられ且つ上記筐体の前面開口を開閉する開閉扉とを備えた仏壇であって、
上記筐体の内部に、活性種を生成して該活性種を上記筐体内に供給する清浄器と照明器とが設けられ、
上記清浄器は、上記照明器に連動して駆動するように構成されている
ことを特徴とする仏壇。
【請求項２】
前面が開口された筐体と、
該筐体の前面に設けられ且つ上記筐体の前面開口を開閉する開閉扉とを備えた仏壇であって、
上記筐体の内部に設けられ、活性種を生成して該活性種を上記筐体内に供給する清浄器を備えているとともに、
上記清浄器が起動した後、所定時間が経過すると上記清浄器を停止させるコントローラを備えている
ことを特徴とする仏壇。
【請求項３】
前面が開口された筐体と、
該筐体の前面に設けられ且つ上記筐体の前面開口を開閉する開閉扉とを備えた仏壇であって、
上記筐体の内部に、活性種を生成して該活性種を上記筐体内に供給する清浄器と照明器とが設けられ、
上記清浄器は、上記照明器に連動して駆動するように構成され、
上記清浄器が起動した後、所定時間が経過すると上記清浄器を停止させるコントローラを備えている
ことを特徴とする仏壇。
【請求項４】
請求項３において、
上記清浄器および照明器は、１つの制御基板に連繋され、
上記コントローラは、上記制御基板に構成されている
ことを特徴とする仏壇。
【発明の詳細な説明】
【技術分野】
【０００１】
本発明は、仏壇に関し、特に、空気清浄機能付仏壇に係るものである。
【背景技術】
【０００２】
従来、仏壇は、特許文献１に開示されているように、前面が開口されて仏壇本体を構成する筐体と、該筐体の前面開口を開閉する開閉扉とを備えている。上記筐体の内部には、本尊を設置する上段載置棚の他、下段設置棚等の各種の載置棚が設けられている。また、上記筐体の外面および内面は共に化学塗料が塗布されて仕上げられている。
【０００３】
そして、上記各載置棚には、香炉や線香差等が設けられると共に、供物や仏花等が設けられる。また、上記仏壇は、一般的に、昼間は開閉扉が開放される一方、夜間は開閉扉が閉じられている。
【先行技術文献】
【特許文献】
【０００４】
【特許文献１】特開２００９−２７９３３８号公報
【発明の概要】
【発明が解決しようとする課題】
【０００５】
上述した従来の仏壇において、塗布された化学塗料の臭気、線香の臭気、供物の臭気および仏花の臭気について何らの対策も施されていなかった。したがって、上記化学塗料の臭いや仏花および供物の臭いが仏間に広がるという問題があった。そこで、化学塗料や仏花および供物等から発生する臭気を処理し得る対策を施した新たな仏壇の出現が叫ばれていた。
【０００６】
本発明は、斯かる点に鑑みてなされたものであり、化学塗料や仏花および供物等の臭気を処理し得る手段を講じた新たな仏壇を提供することを目的とする。
【課題を解決するための手段】
【０００７】
第１の発明は、前面が開口された筐体と、該筐体の前面に設けられ且つ上記筐体の前面開口を開閉する開閉扉とを備えた仏壇であって、上記筐体の内部に、活性種を生成して該活性種を上記筐体内に供給する清浄器と照明器とが設けられ、上記清浄器は、上記照明器に連動して駆動するように構成されていることを特徴としている。
【０００８】
上記第１の発明では、開閉扉を閉じて筐体の内部を閉空間とした状態において、例えば、上記照明器が消灯すると、清浄器を駆動する。この清浄器の駆動により、該清浄器が活性種を生成し、該活性種が筐体の内部の化学塗料や仏花および供物等の臭気を分解し、筐体の内部の空気を清浄にする。
【０００９】
第２の発明は、前面が開口された筐体と、該筐体の前面に設けられ且つ上記筐体の前面開口を開閉する開閉扉とを備えた仏壇であって、上記筐体の内部に設けられ、活性種を生成して該活性種を上記筐体内に供給する清浄器を備えているとともに、上記清浄器が起動した後、所定時間が経過すると上記清浄器を停止させるコントローラを備えていることを特徴としている。
【００１０】
第３の発明は、前面が開口された筐体と、該筐体の前面に設けられ且つ上記筐体の前面開口を開閉する開閉扉とを備えた仏壇であって、上記筐体の内部に、活性種を生成して該活性種を上記筐体内に供給する清浄器と照明器とが設けられ、上記清浄器は、上記照明器に連動して駆動するように構成され、上記清浄器が起動した後、所定時間が経過すると上記清浄器を停止させるコントローラを備えていることを特徴としている。
【００１１】
上記第２、３の発明では、上記清浄器は、駆動すると、自動的に所定時間後に停止することになる。
【００１２】
第４の発明は、第３の発明において、上記清浄器および照明器は、１つの制御基板に連繋され、上記コントローラが、上記制御基板に構成されていることを特徴としている。
【００１３】
上記第４の発明では、１つのコントローラが上記清浄器および照明器を制御し、且つ１つの制御基板でもって上記清浄器および照明器が制御される。
【発明の効果】
【００１４】
本発明によれば、筐体の内部に清浄器を設けるようにしたために、化学塗料や仏花および供物の臭気成分等を清浄器の活性種によって除去することができる。特に、上記筐体は、開閉扉によって内部が閉空間に構成されるので、清浄器が生成する活性種によって臭気成分が確実に除去される。
【００１５】
そして、上記清浄器と照明器とを連動させているので、清浄器を確実に駆動させることができると同時に、空気浄化時における照明器のオン状態を確実に避けることできる。つまり、上記清浄器を駆動する場合は、開閉扉を閉じるので、照明器を消灯する。したがって、この照明器の消灯動作に伴って清浄器を駆動するようにして操作の簡略化が図られる。
【００１６】
また、第２、３の発明によれば、上記清浄器を所定時間後に自動的にオフさせるので、清浄器の無駄な駆動を防止することができる。
【００１７】
また、第４の発明によれば、上記清浄器と照明器とを１つのコントローラで制御するので、制御基板の省スペース化等を図ることができる。
【図面の簡単な説明】
【００１８】
【図１】図１は、仏壇の正面図である。
【図２】図２は、開閉扉を開いた状態を示す仏壇の正面図である。
【図３】図３は、仏壇の縦断面図である。
【図４】図４は、照明器および清浄機構を示す斜視図である。
【図５】図５は、照明器および清浄機構を示す平面図である。
【発明を実施するための形態】
【００１９】
以下、本発明の実施形態を図面に基づいて詳細に説明する。
【００２０】
図１〜図３に示すように、本実施形態の仏壇（10）は、上下２段に形成されている。上記仏壇（10）は、仏壇本体を構成する筐体（20）と、該筐体（20）の開閉扉（30）とを備えている。上記筐体（20）は、上部筐体（2A）と下部筐体（2B）とを備え、上記上部筐体（2A）が下部筐体（2B）の上部に設置されている。そして、上記上部筐体（2A）および下部筐体（2B）は、前面が開口されている。
【００２１】
上記開閉扉（30）は、筐体（20）の前面開口を開閉するものであり、上部筐体（2A）の前面開口を開閉する上部扉（3A）と、下部筐体（2B）の前面開口を開閉する下部扉（3B）とより構成されている。上記上部扉（3A）および下部扉（3B）は、左右に開閉する一対の扉体（31）を備え、該扉体（31）は、２段に折曲げ可能に構成されている。
【００２２】
上記上部筐体（2A）の内部には、本尊を設置する上段載置棚（21）、中段載置棚（22）および下段載置棚（23）が並行に形成されると共に、下部に引出（24）が設けられている。なお、上記中段載置棚（22）および下段載置棚（23）には、図示しないが、香炉や線香差等が設けられると共に、仏花や供物等が設けられる。
【００２３】
また、上記下部筐体（2B）の内部には、上部に引出（25）が設けられると共に、中央部に載置棚（26）が形成されている。
【００２４】
さらに、上記上部筐体（2A）には、照明器（40）が設けられると共に、本願発明の特徴とする清浄機構（50）が設けられている。該清浄機構（50）は、図４および図５に示すように、上部筐体（2A）の内部に設けられている。具体的に、上記清浄機構（50）は、清浄器（51）と該清浄器（51）に接続された制御機構（60）とを備え、上記照明器（40）と共に上記筐体（20）の内装板（70）に取り付けられている。
【００２５】
上記内装板（70）は、照明器（40）および清浄機構（50）の取付部材を構成し、上記上部筐体（2A）の天板（27）の下面（内面）に取り付けらている。上記内装板（70）は、ほぼ矩形状の平板に形成され、照明器（40）の取付孔（71）が形成されると共に、上記清浄器（51）が取り付けられる切欠部（72）が形成されている。また、上記内装板（70）の背面である上面には、制御機構（60）の取付凹部（73）が形成されると共に、配線溝（74）が形成されている。
【００２６】
上記照明器（40）は、例えば、ＬＥＤライトで構成され、内装板（70）の取付孔（71）に取り付けられ、上記上部筐体（2A）の内部を上部から照らすように構成されている。そして、上記照明器（40）は、図示しないが、前後方向および左右方向に回動自在に取り付けられている。
【００２７】
上記清浄器（51）は、電気放電によって、マイナスイオン、プラスイオン、ＯＨラジカルまたはオゾンなどの活性種を生成するように構成され、該活性種を上記上部筐体（2A）の内部に供給するように構成されている。上記清浄器（51）は、図示しないが、例えば、針状電極を備え、高電圧の印加によって放電し、上記活性種を生成し、化学塗料や仏花および供物等の臭気を分解するするように構成されている。
【００２８】
上記制御機構（60）は、１つの制御基板（61）を備えている。該制御基板（61）は、上記清浄器（51）および照明器（40）に配線（6A）によって連繋されると共に、外部電源（図示省略）に配線（6A）によって接続されている。
【００２９】
上記制御基板（61）は、電子部品等が実装される一方、１つのコントローラ（62）が構成されている。該コントローラ（62）は、上記清浄器（51）を制御すると共に、照明器（40）を制御するもので、高電圧回路（63）およびタイマ（64）が接続されると共に、切換スイッチ（65）が接続されている。上記高電圧回路（63）は、清浄器（51）に接続され、清浄器（51）に高電圧を供給するように構成されている。
【００３０】
上記コントローラ（62）は、タイマ（64）および切換スイッチ（65）の信号に基づいて清浄器（51）と照明器（40）とを制御する。具体的に、上記切換スイッチ（65）は、Ａ位置（65a）とＢ位置（65b）とＣ位置（65c）との３位置に切換可能に構成されている。そして、上記切換スイッチ（65）は、Ａ位置（65a）に設定されると、照明器（40）のみをオンさせる切換信号を出力し、上記Ｂ位置（65b）に設定されると、清浄器（51）をオンさせると同時に照明器（40）をオフさせる切換信号を出力し、上記Ｃ位置（65c）に設定されると、清浄器（51）と照明器（40）の双方をオフ切換信号を出力する。
【００３１】
上記タイマ（64）は、例えば、１時間タイマ（64）に構成され、上記切換スイッチ（65）がＢ位置（65b）に設定されると、カウントし始め、例えば、１時間が経過するとカウントアップ信号を出力するように構成されている。
【００３２】
上記コントローラ（62）は、上記切換スイッチ（65）がＡ位置（65a）に設定されると、該切換スイッチ（65）の切換信号に基づき照明器（40）のみをオンして該照明器（40）を点灯させるするように構成されている。また、上記コントローラ（62）は、上記切換スイッチ（65）がＢ位置（65b）に設定されると、該切換スイッチ（65）の切換信号に基づき清浄器（51）をオンして駆動させると同時に照明器（40）をオフして消灯させるように構成されている。さらに、上記コントローラ（62）は、上記切換スイッチ（65）がＣ位置（65c）に設定されると、該切換スイッチ（65）の切換信号に基づき清浄器（51）と照明器（40）の双方をオフして清浄器（51）を停止させると共に照明器（40）を消灯させるように構成されている。
【００３３】
−仏壇（10）の機能−
次に、上記仏壇（10）の空気清浄機能等について説明する。
【００３４】
上記仏壇（10）は、一般的に昼間は上部扉（3A）を開いた状態に維持され、夜間は上部扉（3A）が閉じられる。そして、昼間において、上記仏壇（10）は、適宜照明器（40）がオンされて点灯し、線香が燻べられる。その際、上記切換スイッチ（65）は、Ａ位置（65a）に設定され、コントローラ（62）は、照明器（40）のみをオンさせる一方、清浄器（51）をオフ状態（停止状態）に維持させる。
【００３５】
その後、夜間等において、仏壇（10）の上部扉（3A）を閉める場合、上記切換スイッチ（65）をＢ位置（65b）に設定した後に上部扉（3A）を閉める。上記切換スイッチ（65）をＢ位置（65b）に設定すると、コントローラ（62）は、照明器（40）はオフして該照明器（40）を消灯させると同時に、清浄器（51）をオンして該清浄器（51）を駆動させる。さらに、上記タイマ（64）が切換スイッチ（65）の切換信号に基づきカウントを開始する。
【００３６】
上記清浄器（51）がオンすると、高電圧回路（63）より針状電極に高電圧が印可され、該針状電極の先端から放電が行われる。この結果、上記清浄器（51）は、マイナスイオン等の活性種を生成し、該活性種が上部筐体（2A）の内部に供給される。特に、上記上部筐体（2A）は、上部扉（3A）によって閉空間に閉塞されているので、活性種が天板（27）の下面から上部筐体（2A）の内部全体に分散される。そして、上記活性種は、化学塗料の成分や仏花および供物の臭気成分を酸化させて分解する。
【００３７】
その後、上記タイマ（64）がカウントアップすると、つまり、清浄器（51）が起動して１時間を経過すると、コントローラ（62）は、タイマ（64）のカウントアップに基づいて清浄器（51）をオフして該電清浄器（51）の放電を停止させる。
【００３８】
また、上記清浄器（51）の駆動中に該清浄器（51）をオフする場合には、上記切換スイッチ（65）をＢ位置（65b）またはＡ位置（65a）に設定する。この設定により清浄器（51）の空気浄化は停止する。
【００３９】
−実施形態の効果−
上述したように、本実施形態によれば、筐体（20）の内部に清浄器（51）を設けるようにしたために、化学塗料や仏花および供物の臭気成分等を清浄器（51）の活性種によって除去することができる。特に、上記筐体（20）は、上部扉（3A）によって内部が閉空間に構成されるので、清浄器（51）が生成する活性種によって各種の臭気成分が確実に除去される。
【００４０】
また、上記清浄器（51）と照明器（40）とを連動させているので、清浄器（51）を確実に駆動させることができると同時に、空気浄化時における照明器（40）のオン状態を確実に避けることできる。つまり、上記清浄器（51）を駆動する場合は、上部扉（3A）を閉じるので、照明器（40）をオフして消灯する。したがって、この照明器（40）のオフ動作に伴って清浄器（51）を駆動するようにして操作の簡略化が図られる。
【００４１】
また、上記清浄器（51）が筐体（20）の天板（27）に設けられ、且つ上記筐体（20）の内部が閉空間であるので、ファン等を設けることなく活性種が上記筐体（20）の上部から該筐体（20）の内部全体に分散され、簡易な機能でもって空気浄化を確実に行うことができる。
【００４２】
また、上記清浄器（51）を所定時間後に自動的にオフさせるので、清浄器（51）の無駄な駆動を防止することができる。
【００４３】
また、上記清浄器（51）と照明器（40）とを１つのコントローラ（62）で制御するので、制御基板（61）の省スペース化等を図ることができる。
【００４４】
〈その他の実施形態〉
本発明は、上記実施形態について、以下のような構成としてもよい。
【００４５】
上記実施形態の仏壇（10）は、上部筐体（2A）と下部筐体（2B）とを備えるものであるが、筐体（20）は、上部筐体（2A）のみで構成してもよい。したがって、上記開閉扉（30）は、上部扉（3A）のみであってもよい。
【００４６】
また、上記タイマ（64）は、１時間タイマに限られるものではなく、３０分タイマや２時間タイマであってもよい。さらに、上記タイマ（64）は、カウント時間を可変に設定可能なタイマで構成してもよい。つまり、上記タイマ（64）は、例えば、３０分から１時間の範囲でカウント時間を設定可能に構成してもよい。
【００４７】
また、上記清浄器（51）は、電気放電によって活性種を生成するものに限られず、化学変化を利用して活性種を生成するものであってもよい。
【００４８】
また、上記切換スイッチ（65）は、手動によって切り換えるように構成したが、自動に切り換わるように構成してもよい。特に、上記切換スイッチ（65）のＢ位置（65a）は、押しボタン等を備え、上記開閉扉（30）である上部扉（3A）が閉じられると、自動的に押しボタンが押圧されて切り換わり、清浄器（51）をオンすると同時に照明器（40）をオフするように構成してもよい。
【００４９】
尚、以上の実施形態は、本質的に好ましい例示であって、本発明、その適用物、あるいはその用途の範囲を制限することを意図するものではない。
【産業上の利用可能性】
【００５０】
以上説明したように、本発明は、空気清浄機能を有する仏壇について有用である。
【符号の説明】
【００５１】
１０          仏壇
２０          筐体
２７          天板
３０          開閉扉
４０          照明器
５０          清浄機構
５１          清浄器
６０          制御機構
６１          制御基板
６２          コントローラ
６３          高電圧回路
６４          タイマ
６５          切換スイッチ
【図１】
0005462315.tif 000002
【図２】
0005462315.tif 000003
【図３】
0005462315.tif 000004
【図４】
0005462315.tif 000005
【図５】
0005462315.tif 000006